(57)【特許請求の範囲】
【請求項１】
原稿読取部に順次原稿を自動給紙する自動原稿送装置を搭載したイメージスキャナを備え、当該イメージスキャナで読み取った画情報をメモリに蓄積しつつ送信する機能と、当該メモリに蓄積された所定のページの画情報を載せたレポートを出力する機能とを有するファクシミリ装置において、前記レポートに載せるページを前記自動原稿送装置の原稿給紙形態に応じて自動的に選択する機能を備えたことを特徴とするファクシミリ装置。
【請求項２】
原稿読取部に順次原稿を自動給紙する自動原稿送装置を搭載したイメージスキャナを備え、当該イメージスキャナで読み取った画情報をメモリに蓄積しつつ送信する機能と、当該メモリに蓄積された所定のページの画情報を載せたレポートを出力する機能とを有するファクシミリ装置において、前記レポートに載せるページを各ページ毎の画情報量に基づいて自動的に選択する機能を備えたことを特徴とするファクシミリ装置。
【請求項３】
原稿読取部に順次原稿を自動給紙する自動原稿送装置を搭載したイメージスキャナを備え、当該イメージスキャナで順次原稿を読み取って全ページ分の画情報をメモリに一旦蓄積した後、当該メモリから画情報を読み出して送信する機能と、当該メモリに蓄積された所定のページの画情報を載せたレポートを出力する機能とを有するファクシミリ装置において、前記レポートに載せるページを前記自動原稿送装置の原稿給紙形態に応じて自動的に選択する機能を備えたことを特徴とするファクシミリ装置。
【請求項４】
原稿読取部に順次原稿を自動給紙する自動原稿送装置を搭載したイメージスキャナを備え、当該イメージスキャナで順次原稿を読み取って全ページ分の画情報をメモリに一旦蓄積した後、当該メモリから画情報を読み出して送信する機能と、当該メモリに蓄積された所定のページの画情報を載せたレポートを出力する機能とを有するファクシミリ装置において、前記レポートに載せるページを各ページ毎の画情報量に基づいて自動的に選択する機能を備えたことを特徴とするファクシミリ装置。
【発明の詳細な説明】
【０００１】
【発明の属する技術分野】
本発明は、画情報のメモリへの蓄積結果や送信結果などのレポートを出力する機能を有するファクシミリ装置に関するものである。
【０００２】
【従来の技術】
従来、画情報を蓄積できるメモリを備えたファクシミリ装置は、メモリを利用した以下のような送信機能を有している。
例えば、メモリ送信機能は、自動原稿送装置（以下、ＡＤＦという。）にセットされた原稿を順次イメージスキャナで読み取って全ページ分メモリに一旦蓄積した後、メモリから画情報を読み出して送信する機能である。
また、タイマ送信機能は、読み取った画情報をメモリに一旦蓄積しておいて、希望する時刻に画像メモリから画情報を自動的に読み出して送信する機能である。
また、パラレルメモリ送信（クイックメモリ送信）機能は、原稿を順次読み取り、読み取った画情報をメモリに蓄積しつつ送信する機能である。
そして、これらの送信機能を有するファクシミリ装置は、画情報のメモリへの蓄積結果や送信結果などをレポートによって確認できるようになっている。管理レポートには、宛先電話番号、宛先略称、通信時刻、通信時間などが記載される。また、画情報の蓄積あるいは送信が正常に行われたかどうかを確認するために、メモリに蓄積された画情報を付加したレポートを出力する機能を備えたものもある。
この種のファクシミリ送信では、送信された原稿の１ページ目の一部或いは全部をレポートに載せるようにしている。これはファクシミリ送信される原稿は１ページ目が送付状である場合が多いため、その内容を見れば送信内容をユーザが容易に把握できるためである。
【０００３】
【発明が解決しようとする課題】
しかしながら、ファクシミリ装置に装備されているＡＤＦには、原稿面を上にして複数枚重ねてセットされた原稿を上の原稿から順次給紙するものと、同じく下の原稿から順次給紙するものと、原稿面を下にして複数枚重ねてセットされた原稿を下の原稿から順次給紙するものと、同じく上の原稿から順次給紙するものとがあり、必ずしも送付状が１ページ目として送信されるとは限らない。すなわち、原稿面を上にして複数枚重ねてセットされた原稿を下の原稿から順次給紙した場合、及び原稿面を下にして複数枚重ねてセットされた原稿を上の原稿から順次給紙した場合には、最終ページが１ページ目として送信されることになる。
また、画情報量が多いページに原稿の特徴がよく表れていると考えられるので、送付状のページよりもより画情報量の多いページを結果レポートに載せた方が送信内容を把握し易い場合もある。
また、画情報量等に関係なく任意のページの送信内容をレポートに載せた方が送信内容を把握し易い場合もある。
本発明は、上記事情に鑑みて創案されたものであり、レポートに載せるページをＡＤＦの原稿給紙形態や画情報量などに応じて可変とし、ユーザが送信内容を把握し易いページをレポートに載せることができるファクシミリ装置を提供することを課題とする。
【０００４】
【課題を解決するための手段】
上記課題を解決するために、請求項１に記載の発明は、原稿読取部に順次原稿を自動給紙するＡＤＦを搭載したイメージスキャナを備え、当該イメージスキャナで読み取った画情報をメモリに蓄積しつつ送信する機能と、当該メモリに蓄積された所定のページの画情報を載せたレポートを出力する機能とを有するファクシミリ装置において、前記レポートに載せるページを前記ＡＤＦの原稿給紙形態、すなわち、複数枚重ねてセットされた原稿を順次上の原稿から給紙するか、下の原稿から給紙するかに応じて自動的に選択する機能を備えたことを特徴としている。
また、請求項２に記載の発明は、原稿読取部に順次原稿を自動給紙するＡＤＦを搭載したイメージスキャナを備え、当該イメージスキャナで読み取った画情報をメモリに蓄積しつつ送信する機能と、当該メモリに蓄積された所定のページの画情報を載せたレポートを出力する機能とを有するファクシミリ装置において、前記レポートに載せるページを各ページ毎の画情報量に基づいて自動的に選択する機能を備えたことを特徴としている。
【０００５】
また、請求項３記載の発明は、原稿読取部に順次原稿を自動給紙するＡＤＦを搭載したイメージスキャナを備え、当該イメージスキャナで順次原稿を読み取って全ページ分の画情報をメモリに一旦蓄積した後、当該メモリから画情報を読み出して送信する機能と、当該メモリに蓄積された所定のページの画情報を載せたレポートを出力する機能とを有するファクシミリ装置において、前記レポートに載せるページを前記ＡＤＦの原稿給紙形態、すなわち、複数枚重ねてセットされた原稿を順次上の原稿から給紙するか、下の原稿から給紙するかに応じて自動的に選択する機能を備えたことを特徴としている。
また、請求項４記載の発明は、原稿読取部に順次原稿を自動給紙するＡＤＦを搭載したイメージスキャナを備え、当該イメージスキャナで順次原稿を読み取って全ページ分の画情報をメモリに一旦蓄積した後、当該メモリから画情報を読み出して送信する機能と、当該メモリに蓄積された所定のページの画情報を載せたレポートを出力する機能とを有するファクシミリ装置において、前記レポートに載せるページを各ページ毎の画情報量に基づいて自動的に選択する機能を備えたことを特徴としている。
【０００６】
【発明の実施の形態】
以下、本発明の実施の形態について説明する。
図１は、本発明に係るファクシミリ装置の各実施の形態に共通の構成を示すブロック図である。図示するように、このファクシミリ装置１００は、イメージスキャナ１、ページメモリ２、プロッタ３、ＣＰＵ４、ＲＯＭ５、ＲＡＭ６、操作表示部７、センサ８、符号圧縮再生部９、ハードディスク１０、及び通信制御部１１を備えて構成されている。
スキャナ１は、原稿上の画情報を光学的に読み取り電気信号に変換して取り込む画情報入力装置である。スキャナ１には、原稿を自動的に読取部に給紙するＡＤＦ（自動原稿搬送装置）１２が設けられている。ＡＤＦ１２には原稿面を上にして原稿がセットされる。
ページメモリ２は、スキャナ１で読み取られた画情報や受信した画情報をページ単位で記憶する記憶装置である。
プロッタ３は、ページメモリ２上に展開された画情報を印字出力する出力装置である。
ＣＰＵ４は、ファクシミリ装置１００の各部を統括的に制御して、各種動作を行わせるシステム制御装置である。
ＲＯＭ５は、ＣＰＵ４がファクシミリ装置１００を制御するための基本プログラムを格納している読み出し専用の記憶装置である。
【０００７】
ＲＡＭ６は、読み取った画情報や受信した画情報を記憶したり、ＣＰＵ４が各種処理を行う際に必要なデータ等を一時記憶するためのワーキング領域に使用される読み出し及び書込みが可能な記憶装置である。
操作表示部７は、各種操作キーや表示器等を備え、操作者が各種操作を行うとともに、ファクシミリ装置１００の動作状態を確認するためのユーザーインターフェースである。
センサ８は、ファクシミリ装置１００の各部の状態、例えばスキャナ１にセットされている原稿の有無、プロッタ３における紙詰まりなどを検知する状態検知装置である。
符号圧縮再生部９は、スキャナ１から入力された生の画情報を送信に際して圧縮（符号化）したり、受信した画情報を伸張、再生したりする処理部である。
【０００８】
ハードディスク１０は、送信文書データや受信文書データを大量に蓄積できる大容量の記憶装置である。
通信制御部１１は、画情報を変復調して伝送するとともに、伝送制御手順における各種制御信号を伝送するモデム機能や、通信回線を介して相手先ファクシミリ装置との間に呼を設定したり呼出信号を検出してＣＰＵへ伝える機能を有する制御装置である。
【０００９】
以下、各実施の形態について説明する。
［  請求項１に対応する実施の形態］
図２に示すフローに従って請求項１に記載の発明に係るファクシミリ装置実施の形態の動作を説明する。
この実施の形態では、スタートアップ時にＡＤＦ１２の原稿給紙形態、すなわち、複数枚重ねてセットされた原稿を上の原稿から順に給紙するタイプのＡＤＦ１２であるか、下の原稿から順に給紙するタイプのＡＤＦ１２であるかをチェックし（Ｓ１、Ｓ２）、どちらのタイプであるかをＲＡＭ６の所定の領域に記憶する（Ｓ３）。
ＡＤＦ１２上に原稿がセットされ、操作表示部７の送信スタートボタンが押圧操作されると（Ｓ４）、蓄積動作及び送信動作を開始する。その際、まずＲＡＭ６に記憶されたＡＤＦ１２のタイプを読み取り、上記のどちらのタイプであるかをチェックする（Ｓ５）。
その結果、上の原稿から給紙するタイプであれば（Ｓ５でＹｅｓ）、パラレルメモリ送信モードで送信を開始し（Ｓ６）、１ページ目の画情報を送信した後（Ｓ７）、その１ページ目の画情報をハードディスク１０（あるいはページメモリ２）に保存しておく（Ｓ８）。
その後、ＡＤＦ１２上に次ページの原稿があるかどうかをチェックし（Ｓ９）、次ページの原稿があれば（Ｓ９でＹｅｓ）、次ページの画情報の送信後（Ｓ１０）、その画情報は消去する（Ｓ１１）。更に次のページの原稿があれば順次画情報を送信し、送信が終了する度にその画情報は消去する（Ｓ９でＹｅｓ→Ｓ１０→Ｓ１１→Ｓ９）。
【００１０】
そして、最終ページになったなら（Ｓ９でＮｏ）、ステップＳ８で保存した１ページ目の画情報を読み出し、その画情報を載せたレポート（送信結果レポート）を出力した後（Ｓ１２）、１ページ目の画情報を消去する（Ｓ１３）
一方、ＡＤＦ１２が下の原稿から給紙するタイプの場合（Ｓ５でＮｏ）、パラレルメモリ送信モードで送信を開始して（Ｓ１４）、下の原稿から順に送信を行い、ＡＤＦ１２上に次ページの原稿があれば（Ｓ１６でＹｅｓ）、送信を終了したページの画情報を消去する（Ｓ１７）。
そして、最終ページの送信を終了したら（Ｓ１６でＮｏ）、その最終ページの画情報を載せたレポート（送信結果レポート）を出力した後（Ｓ１２）、その最終ページの画情報を消去する（Ｓ１３）。
この実施の形態によれば、ＡＤＦ１２が原稿を上の原稿から順に給紙するタイプ、或いは下の原稿から順に給紙するタイプのどちらであっても、常に先頭ページの送信内容をレポートに載せることができるので、送信内容がユーザに分かりやすいレポートを提供できる。
【００１１】
［  請求項２に対応する実施の形態］
図３に示すフローに従って請求項２に記載の発明に係るファクシミリ装置実施の形態の動作を説明する。
この実施の形態では、１ページ目の画情報を送信した後（Ｓ２１）、その１ページ目の画情報及び情報量をハードディスク１０（あるいはページメモリ２）に保存しておく（Ｓ２２）。
その後、ＡＤＦ１２上に次ページの原稿があるかどうかをチェックし（Ｓ２３）、次ページの原稿があれば（Ｓ２３でＹｅｓ）、次ページの画情報の送信後（Ｓ２４）、その画情報の情報量とステップＳ２２で保存しておいた情報量とを比較する（Ｓ２５）。その結果、保存しておいたページの画情報の情報量より現ページの情報量の方が小さければ（Ｓ２５でＮｏ）、現ページの画情報を消去する（Ｓ２６）。また、保存しておいたページの画情報の情報量より現ページの情報量の方が大きければ（Ｓ２５でＹｅｓ）、保存しておいたページの画情報及び情報量を消去し（Ｓ２７）、現ページの画情報及び情報量を保存する（Ｓ２８）。
その後も、画情報の送信を終了する毎に情報量を比較し（Ｓ２３→Ｓ２４→Ｓ２５）、より情報量の多いページの画情報及び情報量への更新作業を行う（Ｓ２５でＹｅｓ→Ｓ２７→Ｓ２８）。
そして、最終ページになったなら（Ｓ２３でＮｏ）、ステップＳ２８で最終的に保存されたページの画情報を載せたレポートを出力した後（Ｓ２９）、その画情報及び情報量を消去する（Ｓ３０）。
この実施の形態によれば、送信したページの中で画情報量が最も大きい、したがって原稿の特徴が最もよく表れていると考えられるページの送信内容をレポートに載せることができるので、送信内容がユーザに分かりやすいレポートを提供できる。
【００１２】
図４に示すフローに従って更にファクシミリ装置実施の形態の動作を説明する。この実施の形態では、レポートに載せるページを予めユーザが指定してＲＡＭ６の所定の領域に保存しておく。ページの指定は操作表示部７上のページ指定キーを操作することによりなされる。そして、１ページ目の画情報を送信した後（Ｓ３１）、その画情報をハードディスク１０（あるいはページメモリ２）に保存する（Ｓ３２）。その後、ＡＤＦ１２上に次ページの原稿があるかどうかをチェックし（Ｓ３３）、次ページの原稿があれば（Ｓ３３でＹｅｓ）、次ページの画情報の送信後（Ｓ３４）、そのページが指定ページであるかどうかをチェックする（Ｓ３５）。その結果、指定ページでなければ（Ｓ３５でＮｏ）、現ページの画情報を消去する（Ｓ３６）。一方、指定ページであれば（Ｓ３５でＹｅｓ）、現ページの画情報をハードディスク１０に保存する（Ｓ３７）。また、ユーザによりページが指定されていなければ、デフォルトページの画情報をハードディスク１０に保存する。デフォルトページには、例えば、１ページ（最初に読み取られるページ）、最終ページ（最後に読み取られるページ）などが選ばれる。そして、更に次ページの原稿があれば（Ｓ３３でＹｅｓ）、順次画情報の送信を行い、最終ページになったなら（Ｓ３３でＮｏ）、ハードディスク１０に保存しておいた画情報を載せたレポートを出力した後（Ｓ３８）、その画情報を消去する（Ｓ３９）。この実施の形態によれば、ユーザの好みによって任意のページをレポートに載せることができるので、送信内容がユーザに分かりやすいレポートを提供できる。
【００１３】
［請求項３に対応する実施の形態］
図５に示すフローに従って請求項３に記載の発明に係るファクシミリ装置実施の形態の動作を説明する。この実施の形態では、スタートアップ時にＡＤＦ１２の原稿給紙形態、すなわち、複数枚重ねてセットされた原稿を上の原稿から順に給紙するタイプのＡＤＦ１２であるか、下の原稿から順に給紙するタイプのＡＤＦ１２であるかをチェックし（Ｓ４１、Ｓ４２）、どちらのタイプであるかをＲＡＭ６の所定の領域に記憶する（Ｓ４３）。ＡＤＦ１２上に原稿がセットされ、操作表示部７の送信スタートボタンが押圧操作されると、イメージスキャナ１２により１ページずつ原稿を読み取って順に画情報をハードディスク１０に蓄積していく（Ｓ４４）。そして、全ページ分の画情報を蓄積し終えたら（Ｓ４５）、ＲＡＭ６に記憶されたＡＤＦ１２のタイプを読み取り、上記のどちらのタイプであるかをチェックする（Ｓ４６）。その結果、上の原稿から給紙するタイプであれば（Ｓ４６でＹｅｓ）、ハードディスク１０に蓄積された１ページ目（最初に読み取ったページ）の画情報を検索し（Ｓ４７）、その１ページ目の画情報を載せたレポート（蓄積結果レポート）を出力した後（Ｓ４８）、ハードディスク１０に蓄積された全ページの画情報を送信する（Ｓ４９）。一方、ＡＤＦ１２が下の原稿から給紙するタイプの場合（Ｓ４６でＮｏ）、ハードディスク１０に蓄積された最終ページ（最後に読み取ったページ）の画情報を検索し（Ｓ５０）、当該最終ページの画情報を載せたレポート（蓄積結果レポート）を出力した後（Ｓ４８）、ハードディスク１０に蓄積された全ページの画情報を送信する（Ｓ４９）。この実施の形態によれば、ＡＤＦ１２が原稿を順次上の原稿から給紙するタイプ、或いは下の原稿から給紙するタイプのどちらであっても、常に先頭ページ（前者のタイプの場合一番上に置かれたページ、後者の場合一番下に置かれたページ）の送信内容をレポートに載せることができるので、蓄積結果がユーザに分かりやすいレポートを提供できる。
【００１４】
［請求項４に対応する実施の形態］
図６に示すフローに従って請求項４に記載の発明に係るファクシミリ装置実施の形態の動作を説明する。この実施の形態では、ＡＤＦ１２上に原稿がセットされ、操作表示部７の送信スタートボタンが押圧操作されると、イメージスキャナ１２により１ページずつ原稿を読み取って順次画情報をハードディスク１０に蓄積していく（Ｓ５１）。このとき各ページの画情報と共にその情報量も合わせて記憶する（Ｓ５２）。そして、全ページ分の画情報を蓄積し終えたら（Ｓ５３）、情報量の最も多いページを検索し（Ｓ５４）、その該当するページの画情報を載せたレポート（蓄積結果レポート）を出力した後（Ｓ５５）、ハードディスク１０に蓄積された全ページの画情報を送信する（Ｓ５６）。この実施の形態によれば、送信したページの中で画情報量が最も大きい、したがって原稿の特徴が最もよく表れていると考えられるページの送信内容をレポートに載せることができるので、蓄積結果がユーザに分かりやすいレポートを提供できる。
【００１５】
図７に示すフローに従って更にファクシミリ装置実施の形態の動作を説明する。この実施の形態では、レポートに載せるページを予めユーザが指定してＲＡＭ６の所定の領域に保存しておく。ページの指定は操作表示部７上のページ指定キーを操作することによりなされる。この実施の形態では、ＡＤＦ１２上に原稿がセットされ、操作表示部７の送信スタートボタンが押圧操作されると、イメージスキャナ１２により１ページずつ原稿を読み取って画情報をハードディスク１０に蓄積していく（Ｓ６１）。そして、全ページ分の画情報を蓄積し終えたら（Ｓ６２）、ユーザの指定したページを検索する（Ｓ６３）。その結果、指定ページがあれば（Ｓ６４でＹｅｓ）、指定ページの画情報を載せたレポート（蓄積結果レポート）を出力した後（Ｓ６５）、ハードディスク１０に蓄積された全ページの画情報を送信する（Ｓ６６）。一方、ユーザによりページが指定されていないか或いは指定されたページの画情報がなければ（Ｓ６４でＮｏ）、デフォルトページを検索し（Ｓ６７）、デフォルトページの画情報を載せたレポート（蓄積結果レポート）を出力した後（Ｓ６５）、ハードディスク１０に蓄積された全ページの画情報を送信する（Ｓ６６）。デフォルトページには、例えば、１ページ目（最初に読み取られるページ）、最終ページ（最後に読み取られるページ）などが選ばれる。この実施の形態によれば、ユーザの好みによって任意のページをレポートに載せることができるので、蓄積結果がユーザに分かりやすいレポートを提供できる。
【００１６】
【発明の効果】
以上要するに本発明によれば、以下のような優れた効果を発揮できる。請求項１及び請求項３に記載のファクシミリ装置よれば、ＡＤＦが上の原稿から給紙するタイプ、或いは下の原稿から給紙するタイプのどちらであっても、常に先頭ページの送信内容をレポートに載せることができるので、ユーザに分かりやすいレポートを提供できる。請求項２及び請求項４に記載のファクシミリ装置によれば、画情報量の多いページをレポートに載せることができるので、ユーザに分かりやすいレポートを提供できる。
【図面の簡単な説明】
【図１】本発明に係るファクシミリ装置の各実施の形態に共通の構成を示すブロック図である。
【図２】請求項１に記載の発明に係るファクシミリ装置の実施の形態の動作例を示すフロー図である。
【図３】請求項２に記載の発明に係るファクシミリ装置の実施の形態の動作例を示すフロー図である。
【図４】請求項３に記載の発明に係るファクシミリ装置の実施の形態の動作例を示すフロー図である。
【図５】請求項４に記載の発明に係るファクシミリ装置の実施の形態の動作例を示すフロー図である。
【図６】請求項５に記載の発明に係るファクシミリ装置の実施の形態の動作例を示すフロー図である。
【図７】請求項６に記載の発明に係るファクシミリ装置の実施の形態の動作例を示すフロー図である。
【符号の説明】
１  イメージスキャナ、２  ページメモリ（メモリ）、３  プロッタ、４  ＣＰＵ、５  ＲＯＭ、６  ＲＡＭ、７  操作表示部、８  センサ、９  符号圧縮再生部、１０  ハードディスク（メモリ）、１１  通信制御部、１２  ＡＤＦ（自動原稿搬送装置）、１００  ファクシミリ装置。
【図１】
0003562929.tif 000002
【図２】
0003562929.tif 000003
【図３】
0003562929.tif 000004
【図４】
0003562929.tif 000005
【図５】
0003562929.tif 000006
【図６】
0003562929.tif 000007
【図７】
0003562929.tif 000008